(57)【要約】【解決手段】パネルに対して物体を迅速に取り付けるのに有用な取付け組立体は、軸部材及び拡大可能部材を有する基部組立体を具備する。軸部材は基部組立体から延びており、拡大可能部材はパネルの一側に配置された複数の指部を有する。この結果、取付けの際、指部は半径方向外方に延び、物体をパネルに締め付ける。物体をパネルに実装する方法も提供される。物体は取付け組立体の基部に取り付けられ、軸部材はパネルの開口内に配置される。パネルは、取付け組立体の設置の際に、指部及び基部間に締め付けられる。
2005506732.tif 000002
【特許請求の範囲】
【請求項１】
物体を車両のパネルに迅速に取り付ける取付け組立体であって、前記物体に固定可能で、軸部材を有する基部組立体と、前記パネルの開口を通って挿入可能な保持機構とを具備し、
該保持機構が、
前記パネルの前記開口を通過するよう圧縮可能で外方に拡大可能な複数の弾性指部を有する拡大可能部材と、
前記パネルに向かって前記拡大可能部材を付勢する、前記軸部上に配置された保持部材と、
前記物体から選択された距離だけ前記拡大可能部材を離間する、前記軸部材上に配置されたスペーサ部材と
を具備することを特徴とする取付け組立体。
【請求項２】
前記拡大可能部材は、前記軸部材上を軸方向の移動するために配置された保持キャップを具備することを特徴とする請求項１記載の取付け組立体。
【請求項３】
前記拡大可能部材の前記指部は、中間部により結合された上部及び下部を具備し、
前記中間部は、対向する２個の前記指部の前記下部が前記対向する指部の前記上部よりもさらに離間するように傾斜することを特徴とする請求項１記載の取付け組立体。
【請求項４】
前記拡大可能部材は環状部を有し、
前記指部は前記環状部から直立することを特徴とする請求項１記載の取付け組立体。
【請求項５】
前記軸部は、傾斜した本体部を有するスタッドを有し、
前記指部は、前記傾斜本体部と接触していることを特徴とする請求項１記載の取付け組立体。
【請求項６】
前記スタッドは、前記本体部から外方に延びると共に前記拡大可能部材の隣接する２個の前記指部間に配置された少なくとも１個のボスをさらに有することを特徴とする請求項５記載の取付け組立体。
【請求項７】
前記スペーサ部材は、前記軸部の周囲に配置されたスナップカラーを有し、
該スナップカラーは、前記基部組立体に隣接して配置された少なくとも１本の弾性脚を有することを特徴とする請求項１記載の取付け組立体。
【請求項８】
前記スナップカラーは、対向する１対の弾性脚を有する分離したリング部を具備し、
前記弾性脚は、直線部及び片持ち梁部を有し、
該片持ち梁部の縁は、前記基部組立体に隣接して配置されていることを特徴とする請求項７記載の取付け組立体。
【請求項９】
前記脚は、前記片持ち梁部から延びるタブをさらに有し、
該タブは前記開口内に配置されることを特徴とする請求項８記載の取付け組立体。
【請求項１０】
前記保持部材は、前記軸部材上に螺合可能に配置されたナットを具備することを特徴とする請求項１記載の取付け組立体。
【請求項１１】
前記保持部材は、前記パネルに向かって前記拡大可能部材を軸方向に移動させる手段を具備することを特徴とする請求項１記載の取付け組立体。
【請求項１２】
前記保持部材は、前記軸部材に取り付けられたねじ切りされた部材と、該ねじ切りされた部材上に螺合可能に配置されたナットとを具備し、
該ナットにトルクが印加されると、前記拡大可能部材が前記パネルに向かって移動することを特徴とする請求項１記載の取付け組立体。
【請求項１３】
前記基部組立体に当接して配置されたガスケット部材をさらに具備することを特徴とする請求項１記載の取付け組立体。
【請求項１４】
物体をパネルに固定するのに使用される迅速取付け機構であって、
傾斜した本体部を有するスタッドを有する基部と、
前記スタッドに対して軸方向に移動するために前記スタッド上に配置された保持キャップとを具備し、
該保持キャップは、前記スタッドの前記本体部と接触する複数の保持指部を具備し、
前記基部に向かって前記保持キャップを軸方向に移動させると、前記保持指部が半径方向外方に広がることを特徴とする迅速取付け機構。
【請求項１５】
前記スタッドの周囲に配置されたスナップカラーをさらに具備し、
該スナップカラーは、前記基部に隣接して配置された少なくとも１本の弾性脚を有することを特徴とする請求項１４記載の迅速取付け機構。
【請求項１６】
前記スナップカラーは、１対の弾性脚を有するスナップリング部を具備し、
前記弾性脚は１８０°離間しており、
前記弾性脚の各々は、前記本体部の各切欠き内に配置されると共に前記スタッドの縦軸と整列することを特徴とする請求項１５記載の迅速取付け機構。
【請求項１７】
前記スタッドの周囲の前記保持キャップ及び前記基部間に配置され、前記パネルの開口内に前記保持キャップの前記保持指部が入り込むのを防止するよう寸法が設定されたスペーサ部材をさらに具備することを特徴とする請求項１４記載の迅速取付け機構。
【請求項１８】
前記スペーサ部材は、前記基部に隣接して配置された少なくとも１本の弾性脚を有するスナップカラーを具備することを特徴とする請求項１７記載の迅速取付け機構。
【請求項１９】
前記基部に向かって前記保持キャップを軸方向に移動させる手段をさらに具備することを特徴とする請求項１４記載の迅速取付け機構。
【請求項２０】
前記保持キャップを軸方向に移動させる前記手段は、前記スタッドに取り付けられたねじ切りされた部材と、ナットとからなり、
該ナットにトルクが印加されると、前記保持キャップが前記基部に向かって移動することを特徴とする請求項１９記載の迅速取付け機構。
【請求項２１】
前記スタッドは、前記基部のスルーホールと整列する縦切欠きを具備することを特徴とする請求項１４記載の迅速取付け機構。
【請求項２２】
前記スタッドの周囲に配置されたスナップカラーをさらに具備し、
該スナップカラーは、前記基部に隣接して配置された少なくとも１本の弾性脚を有し、
前記スナップカラーは、前記スタッドの前記縦切欠きと整列する切欠部を具備することを特徴とする請求項２１記載の迅速取付け機構。
【請求項２３】
前記スタッドは、前記本体部から外方に延びる少なくとも１個のボスを具備し、
該ボスは、前記保持キャップの隣接する保持指部間に配置されることを特徴とする請求項１４記載の迅速取付け機構。
【請求項２４】
前記保持指部は、中間部により結合された上部及び下部を具備し、
前記中間部は、対向する２個の前記保持指部の前記下部が前記対向する保持指部の前記上部よりもさらに離間するように傾斜することを特徴とする請求項１４記載の迅速取付け機構。
【請求項２５】
前記スタッドが延びる前記基部の表面に当接して配置されたガスケットをさらに具備することを特徴とする請求項１４記載の迅速取付け機構。
【請求項２６】
前記スタッドは、前記基部と一体に形成されていることを特徴とする請求項１４記載の迅速取付け機構。
【請求項２７】
前記基部は、前記物体の下面に固定可能であることを特徴とする請求項１４記載の迅速取付け機構。
【請求項２８】
物体を迅速取付け機構に取り付ける工程であって、該迅速取付け機構が、傾斜した本体部を有するスタッドを有する基部と、前記スタッドに対して軸方向に移動するために前記スタッド上に配置された保持キャップとを具備し、該保持キャップは、前記スタッドの前記本体部と接触する複数の保持指部を具備し、前記基部に向かって前記保持キャップを軸方向に移動させると、前記保持指部が半径方向外方に広がり、
前記スタッドをパネルの開口を通って挿入し、前記基部を前記パネルの対面に当接させて配置する工程と、
前記保持キャップを軸方向に移動させて前記複数の保持指部及び前記基部の間に前記パネルを締め付ける工程と
からなることを特徴とする、パネルへの物体の実装方法。
【請求項２９】
前記迅速取付け機構は、前記スタッドの周囲に配置されたスナップカラーをさらに具備し、
該スナップカラーは、前記基部に隣接して配置された少なくとも１個の弾性脚を有し、
前記開口を通って前記スタッドを挿入すると、前記弾性脚が前記スタッドに向かって移動して中立位置に戻り、前記基部が前記パネルから離れる方向に移動するのを防止することを特徴とする請求項２８記載の実装方法。
【請求項３０】
前記スナップカラーは、１対の弾性脚を有するスナップリング部を具備し、
前記脚は互いに１８０°離間し、
前記弾性脚の各々は、前記本体部の各切欠き内に配置されると共に前記スタッドの縦軸と整列することを特徴とする請求項２９記載の実装方法。
【請求項３１】
前記迅速取付け機構は、前記基部に向かって前記保持キャップを軸方向に移動させる手段をさらに具備することを特徴とする請求項２８記載の実装方法。
【請求項３２】
前記保持キャップを軸方向に移動させる前記手段は、前記スタッドに取り付けられたねじ切りされた部材と、ナットとからなり、
前記保持キャップを軸方向に移動させて前記パネルを締め付ける工程は、前記ナットにトルクを印加して、予め決定された量の締め付け力が印加されるまで、前記基部に向かって前記保持キャップを軸方向に移動させる工程を具備することを特徴とする請求項３１記載の実装方法。
【請求項３３】
前記スタッドは、前記基部のスルーホールと整列する縦切欠きを具備することを特徴とする請求項２８記載の実装方法。
【請求項３４】
前記迅速取付け機構の前記スタッドは、前記本体部から外方に延びる少なくとも１個のボスを具備し、
該ボスは、前記保持キャップの隣接する保持指部間に配置されることを特徴とする請求項２８記載の実装方法。
【請求項３５】
前記保持指部は、中間部により結合された上部及び下部を具備し、
前記中間部は、対向する２個の前記保持指部の前記下部が前記対向する保持指部の前記上部よりもさらに離間するように傾斜することを特徴とする請求項２８記載の実装方法。
【請求項３６】
前記パネル開口に前記スタッドを挿入する前に、前記基部及び前記パネル間にガスケットを配置する工程をさらに具備することを特徴とする請求項２８記載の実装方法。
【請求項３７】
車両の外部パネルの開口を通って車両に取り付けるための迅速取付け物体であって、
前記車両の前記外部パネルに取り付けられ、前記パネルの外面上に支持されるよう配置された下面を有する物体と、
該物体の前記下面に取り付けられ、基部組立体及び保持機構を有する取付け組立体とを具備し、
前記基部組立体は前記物体に固定され、前記基部組立体から延びる軸部材を有し、
前記保持機構は、前記パネルの前記開口を通って挿入可能であって、
前記パネルの前記開口を通過するために圧縮可能で外方に拡大可能な複数の弾性指部を有する拡大可能部材と、
前記軸部材上に配置され、前記パネルに向かって前記拡大可能部材を付勢する保持部材と、
前記軸部材上に配置され、前記物体から選択された距離だけ前記拡大可能部材を離間させるスペーサ部材と
を具備することを特徴とする迅速取付け物体。
【請求項３８】
前記拡大可能部材は、前記軸部材上を軸方向の移動するために配置された保持キャップを具備することを特徴とする請求項３７記載の迅速取付け物体。
【請求項３９】
前記拡大可能部材の前記指部は、中間部により結合された上部及び下部を具備し、
前記中間部は、対向する２個の前記指部の前記下部が前記対向する指部の前記上部よりもさらに離間するように傾斜することを特徴とする請求項３７記載の迅速取付け物体。
【請求項４０】
前記拡大可能部材は環状部を有し、
前記指部は前記環状部から直立することを特徴とする請求項３７記載の迅速取付け物体。
【請求項４１】
前記軸部は、傾斜した本体部を有するスタッドを有し、
前記指部は、前記傾斜本体部と接触していることを特徴とする請求項３７記載の迅速取付け物体。
【請求項４２】
前記スタッドは、前記本体部から外方に延びると共に前記拡大可能部材の隣接する２個の前記指部間に配置された少なくとも１個のボスをさらに有することを特徴とする請求項４１記載の迅速取付け物体。
【請求項４３】
前記スペーサ部材は、前記軸部の周囲に配置されたスナップカラーを有し、
該スナップカラーは、前記基部組立体に隣接して配置された少なくとも１本の弾性脚を有することを特徴とする請求項３７記載の迅速取付け物体。
【請求項４４】
前記スナップカラーは、対向する１対の弾性脚を有する分離したリング部を具備し、
前記弾性脚は、直線部及び片持ち梁部を有し、
該片持ち梁部の縁は、前記基部組立体に隣接して配置されていることを特徴とする請求項４３記載の迅速取付け物体。
【請求項４５】
前記脚は、前記片持ち梁部から延びるタブをさらに有し、
該タブは前記開口内に配置されることを特徴とする請求項３７記載の迅速取付け物体。
【請求項４６】
前記保持部材は、前記軸部材上に螺合可能に配置されたナットを具備することを特徴とする請求項３７記載の迅速取付け物体。
【請求項４７】
前記保持部材は、前記パネルに向かって前記拡大可能部材を軸方向に移動させる手段を具備することを特徴とする請求項３７記載の迅速取付け物体。
【請求項４８】
前記保持部材は、前記軸部材に取り付けられたねじ切りされた部材と、該ねじ切りされた部材上に螺合可能に配置されたナットとを具備し、
該ナットにトルクが印加されると、前記拡大可能部材が前記パネルに向かって移動することを特徴とする請求項３７記載の迅速取付け物体。
【請求項４９】
前記基部組立体に当接して配置されたガスケット部材をさらに具備することを特徴とする請求項３７記載の迅速取付け物体。
【発明の詳細な説明】
【技術分野】
【０００１】
デバイスをパネル又は他の支持構造に取り付ける必要がある場合が多くある。一例は、全地球測位システム（ＧＰＳ）アンテナ又は携帯電話アンテナ等のアンテナを自動車の天井又はトランクに取り付けることである。このようなデバイスが組立ラインで取り付けられる際には、デバイスを正確且つ迅速にパネルに固定できることが重要である。また、デバイスは、デバイスを取り付けるために多数の部品や両手作業（又は複数の人員）を必要としないように、必要なものを完備していることも重要である。さらに、取付けは、作業工程が少なく、可能な限り簡単であることが重要である。用途の中には、デバイスがパネルに対して正しい方向を向くことをさらに要する。
【特許文献１】
米国特許第６２３６３７７号明細書
【特許文献２】
欧州特許出願公開第１１２０８５３号明細書
【特許文献３】
仏国特許第２５８４８７１号明細書
【特許文献４】
独国特許出願公開第１９６４０１１０号明細書
【特許文献５】
米国特許第２８９６０１０号明細書
【発明の開示】
【発明が解決しようとする課題】
【０００２】
デバイスをパネルに取り付ける数多くの公知の装置及び工程がある。これらの公知手順の殆どは、取付けに両手の使用又は複数の人員を要する。というのは、デバイスがパネルの一側に配置され、パネルの反対側から固定手段で作業するからである。加えて、公知デバイスの多くの取付けには複数の工程を要し、また、装置は、ナット、ワッシャ、ボルト、ねじ等の小型で多数の部品を使用する。これらの欠点は、時間がかかり、取扱いが困難な取付けとなる結果になる。
【課題を解決するための手段】
【０００３】
本発明は、自動車用アンテナユニット等の物体を、車両の外側パネル等のパネル又は他の支持表面に迅速に取り付ける取付け組立体を提供する。一人の作業者が、工具を要することなく、車両パネルの開口を通って外部から下方に押圧してアンテナユニット又は他の物体を取り付けることを可能にする。また、取付け組立体は、取付け後の回転を防止する回転防止機構を有している。取付け組立体は、内部からのみ取外し可能であり、取付け組立体を外部からの改ざんができないようにする。また、取付け組立体は、種々のパネル厚で車両に実装することもできる。
【０００４】
より特定すると、取付け組立体は、物体に固定され、パネルに実装される基部組立体を有する。基部組立体は、パネルの開口を貫通する軸部材を有する。軸部材上の拡大可能部材は、パネルの内面に当接する複数の弾性部材を有する。弾性部材は圧縮可能であり、取付け中にパネルの開口を通ることができる。保持部材は、取付け後に弾性部材がパネルの内面と当接した状態で拡大可能部材を軸部材上に保持する。また、軸部材上に配置されたスペーサ部材は、拡大可能部材及び物体の下面間に間隙を有した状態で、保持部材に対して拡大可能部材を付勢する。この間隙は、取付け工程後において、車両のパネルを受容する寸法に設定される。このようにして、適切な寸法のスペーサ部材が、種々の厚さのパネルを収容することができる。必要なら、取付け後、保持部材を微調整してもよい。拡大可能部材及び基部組立体間にキーイング部材を配置して、取付け組立体の回転を防止する。
【０００５】
別の実施形態において、本発明は、実装スタッドを有する基部部材、実装スタッド上に配置された保持キャップを具備する取付け組立体を提供する。保持キャップは複数の保持指部を有し、保持指部はスタッドと協働し、保持キャップが基部部材に向かって軸方向に移動すると保持指部が半径方向外方に拡大し、パネルに対して締付け圧力を与える。
【０００６】
好適な一実施形態において、スナップカラーは基部部材付近の実装スタッド上に配置され、スタッドの縦軸に沿って整合した少なくとも１個の弾性脚を有する。脚はパネル内面に接触し、基部がパネルから離れる方向に移動するのを防止する。
【０００７】
さらに別の側面において、本発明は、本発明に従って取付け組立体に物体を取り付ける工程と、取付け組立体をパネルに取り付ける工程とを含む実装方法を提供する。
【０００８】
本発明の上記及び他の側面は、本明細書、図面及び特許請求の範囲をさらに考慮すると明白になるであろう。
【発明を実施するための最良の形態】
【０００９】
添付図面に関連して以下の詳細な説明から本発明がより完全に理解されよう。図１は、本発明に従ったアンテナユニットに関連した自動車取付け組立体の側面図である。図２は、図１の取付け組立体及びアンテナユニットの分解図である。図３は、図１の取付け組立体の分解図である。図４は、図１の取付け組立体の側面図である。図５は、図１の取付け組立体及びアンテナユニットと共に使用するための車両パネルの平面図である。図６は、取付け組立体の別の実施形態の分解図である。図７は、図６の取付け組立体の側面図である。図８は、図６の取付け組立体と共に使用するための車両パネルの平面図である。図９は、本発明に従った取付け組立体の別の実施形態の正面断面図である。図１０は、図９の取付け組立体の基部を下面側から見た斜視図である。図１１は、図９の取付け組立体の実装スタッドの斜視図である。図１２は、（Ａ）図９の取付け組立体のスナップカラーの平面図、（Ｂ）（Ａ）のスナップカラーの側面図である。図１３は、（Ａ）図９の取付け組立体の保持キャップの平面図、（Ｂ）（Ａ）の保持キャップの側面図である。図１４（Ａ）ないし（Ｄ）は、取付け組立体の一連の部分断面図であり、特に物体をパネルに取り付ける工程を示す図である。
【００１０】
本発明の第１実施形態に従ったアンテナ取付け組立体１０は、アンテナユニット１２に関連した図１ないし図５により完全に示される。取付け組立体１０は、アンテナユニット１２に固定されると共にアンテナユニット１２から延びており、車両本体のパネル１６の開口１４を貫通する。取付け組立体１０は、パネル１６の内面２０に向かって付勢された拡大可能部材１８を有するので、後述するように取付け組立体１０及びアンテナユニット１２を車両に固定する。
【００１１】
図示の実施形態において、アンテナユニット１２は、ＧＰＳ又は衛星アンテナ用のレードームカバー２２として示される。本発明の取付け組立体は、ＡＭ／ＦＭアンテナ等の任意のタイプのアンテナ及び関連するカバー又は基部ユニットと共に、或いはパネルに固定することが意図されている任意のデバイス又は物体と共に使用してもよいことが理解されよう。
【００１２】
図示された実施形態において、ユニット１２は、パネルの開口１４上で車両パネル１６の外面２６に支持された下面２４を有する。ユニット１２からのケーブル２８は、当業界で公知であるように、車両内の他の部品に接続するためにユニットの下面２４及びパネル１６の開口１４を通って延びる。開口３２を有する周囲ガスケット３０は、ユニット１２の下面２４とパネル１６の外面２６との間に挟まれる。ガスケット３０は、開口１４を封止すると共に、パネル１６の厚さ及び輪郭の変動を補償する。キーイング機構３４は、当業界で公知であるように、ユニット１２及びガスケット３０からパネル１６の小さな開口３６内に延びる。
【００１３】
第１実施形態において、取付け組立体１０は、アンテナユニット１２の下面２４に固定されると共に下面２４から延びる基部組立体４０を有する。基部組立体４０は基部プレート４２を有する。基部プレート４２は、その周囲に配置された半径方向に延びる複数のタブ４４を有する。これらのタブは、パネル１６の開口１４内に嵌まる。３本のタブ４４が適当であるが、任意の所望数が使用可能である。基部組立体４０は、ユニット１２と一体であるか、ねじ又は接着剤等の任意の適当な方法でユニット１２に固定されてもよい。また、基部組立体４０は、基部プレート４２から下方に延びて外面がねじ切りされた中空の軸４６を有する。軸は、後述するように、その長さに沿って１個以上のキースロット４８を有する。ユニット１２からのケーブル２８は、軸４６の中空内面５０を通る。
【００１４】
基部組立体４０は車両に取り付けられると、パネル１６の開口１４を貫通する。スナップリング等の拡大可能部材１８は、外面がねじ切りされた軸４６上に嵌まる。内面がねじ切りされた回り止めナット等の保持部材５４は、基部組立体上の拡大可能部材１８を保持すると共に、拡大可能部材１８をパネル１６の内面２０に向かって付勢する。ナットは、好適にはポリエステル製又はナイロン製等の自動ロック式固定具要素５８を有する。固定具要素は、当業界では公知であるように、内部位置に滑りを防止するねじ部が付加されている。固定具要素は、軸のねじ部とナットとの係合を阻害すべきでない。
【００１５】
図示の実施形態において、スナップリングは、環状ワッシャ部６０と、指部６２等の直立する複数の弾性部材とを具備する。弾性部材は、取付け状態では半径方向外方に広がり、その先端６４でパネル１６の内面２０に対して押圧する。スナップリングは、当業者が容易に決定できるように、指部に適当な弾性量を与えるように選択された厚さ、硬度及び他の特性を有する板材を打抜き加工及び曲げ加工されるのが好ましい。３０ゲージのステンレス鋼等の金属材料が適当であるが、適当なプラスチック又は合成材料も必要であれば使用可能である。好適には、環状ワッシャ部６０を硬くし且つ支持すると共にワッシャ部を捩じれから保護するために、ワッシャ部の上に安定化（stability）ワッシャ６６が設けられ、ワッシャ部の下に捩じれ防止ワッシャ６８が設けられる。これらワッシャは一般的に、スナップリングより厚い２０ゲージステンレス鋼等の板材を打抜き加工する。ワッシャ及びスナップリングは共に、ねじ切りされた軸４６のキースロット４８と整合し且つキースロット４８内に嵌まる内向きの１個以上のタブすなわちキー７０を有する。キー７０は、キースロット４８内に嵌まると、拡大可能部材１８がユニット１２に対して回転するのを防止する。
【００１６】
また、取付け組立体は、種々のパネル板厚に適応するために予め設定された複数の距離を許容する圧縮ばね等のスペーサ部材７２を有する。圧縮ばねは、回り止めナットが及ぼす上向き力に抗してスナップリングに対して下向きに付勢する。圧縮ばねの高さは、スナップリングの指部先端及び基部プレート間に所望の距離すなわち間隙ｄが得られるように、回り止めナットを締め付けることによって設定される。取付け時において、車両パネルはこの間隙内に嵌まる。必要であれば、所望の間隙寸法を得るために、パネル厚に依存して圧縮リングの寸法を選択することができる。
【００１７】
組立体は、パネル１６の開口１４を通ってアンテナユニット１２及び取付け組立体１０を下方向に押すことを必要とする。取付け組立体１０がパネルの開口１４を通って挿入されると、スナップリングの弾性指部６２は半径方向内方に圧縮する。指部の先端６４は、基部プレート４２のタブ４４間の円弧領域７４内で延びる。スナップリングが開口１４を一旦通過すると、指部は半径方向外方に広がる。好適には内向きに曲げられた指部の先端は、パネル１６の内面２０に当接するので、取付け組立体１０の位置をロックする。必要であれば、回り止めナットを回転することにより、任意の微調整をすることができる。
【００１８】
図６ないし図８に図示された別の実施形態において、別の回転防止キーイング機構が示される。パネル１６の開口１４は、単一の方向性を与える離間した１個以上の凹部８０を有する。基部プレート４２上の半径方向に延びるタブ４４は凹部８０と整列する。タブ４４は凹部８０内に嵌まり、開口１４内での組立体の回転を防止する。直立するアーム８２が下側捩じれ防止ワッシャに設けられ、取付け中に開口１４を通って取付け組立体を案内する。キーイング機構３４の代わり若しくはキーイング機構３４の加えて、アンテナユニット１２に設けられた第２開口３６を使用する回転防止キーイング機構を設けてもよい。
【００１９】
レンズ１１２を有するアンテナユニット１１０に関連して、取付け組立体の別の実施形態が図９ないし図１４に示される。取付け組立体は、基部プレート１２８を有する基部組立体１１４を具備する。軸部材すなわち実装スタッド１１６は、基部プレート１２８の底面から突出する。実装スタッド１１６は好適には、基部プレート１２８と一体に形成される。使用の際、実装スタッド１１６は、基部プレート１２８がパネル１００（図１４参照）の外面に当接配置された状態で、パネル１００の開口１０１内に配置される。ねじ切りされたスタッド１２６は実装スタッド１１６から突出する。実装スタッド１１６上に配置されるのは、保持キャップ１２２等の拡大可能部材と、スナップカラー１２０等のスペーサ部材である。ねじ切りされたスタッド１２６上のナット１２４等の保持部材と組み合わせたこれら要素は、後述するように、基部組立体１１４をパネル１００に固定するよう協働する。
【００２０】
図示の実施形態において、プレート１２８は複数の開口１２９を具備する。これら開口１２９は、図示されたアンテナレンズ１１２等の実装される物体に対するプレート１２８の取付けを容易にする。このような開口の数、寸法及び位置は、特定用途に基づいて決定される。或る自動車アンテナ等の用途において、パネルに対してデバイスを適正に方向付けることが必要若しくは望ましい。このような状況において、パネル１００の適当な開口１０２を通って突出する方向性スタッド１１７等のキーイング機構を、基部組立体上に設けてもよい。
【００２１】
図９及び図１４に示されるガスケット１１８は、基部プレート１２８の底面に当接して配置される。ガスケット１１８は、基部組立体１１４をパネル１００に封止する。ガスケット１１８は、全ての用途において必要とされ又は望ましい訳ではない。パネルの外面が屋外に曝される自動車又は他の用途において、ガスケットの使用が特に望ましい。適当な材料製の任意の適当な形状のガスケット１１８を使用して便宜を与えることができる。本発明の取付け組立体をパネルに取り付けると、ガスケット１１８が使用される場合、ガスケット１１８はパネル及び基部プレート１２８間で圧縮される。従って、ガスケット１１８の材料及び形状は、このような圧縮が生ずるように選択される。
【００２２】
図１０を参照すると、図示された基部プレート１２８は、実装スタッド１１６がプレート１２８のほぼ中央に配置された卵形状又は楕円形状を有する。明瞭にするために、実装スタッド１１６のねじ切りされたスタッド１２６、ナット１２４及び保持キャップ１２２は図１０に図示されていない。プレート１２８の寸法及び形状並びに実装スタッド１１６の位置は、意図された使用によって決定される。プレート１２８はパネルとほぼ同一の輪郭を有し、パネルに対してプレートが取り付けられパネル及び基部プレート（ガスケットが使用される場合はガスケット）間で滑らかに密着して取り付けられることが最も好ましい。このため、基部組立体が湾曲したパネルに取り付けられることが意図される場合、基部プレートは湾曲したパネルと同一の曲率で設計されるであろう。基部組立体１１４は好適にはダイキャスト構造であるが、本発明はそれに限定されない。機械加工された構造又は成形された構造を使用して便宜を与えることもできる。
【００２３】
図１０及び図１１を特に注目すると、実装スタッド１１６は、スタッドの基部１３２（すなわち、実装スタッド１１６が基部プレート１２８から現われる点）及びスタッド１１６の先端１３４の中間に配置される、中央に位置する本体部１３０を有するほぼ筒状部材である。本体部１３０は、図１１に最もよく示されるように、スタッド１１６の基部１３２で環状凹部すなわち切欠き領域１３６を形成する。本体部１３０は先端１３４からスタッド１１６の基部１３２に向かって外方に傾斜すなわち広がるので、本体部１３０が環状凹部１３６に結合する位置で本体部１３０の直径が最大になる。スタッド１１６の先端１３４は、ねじ切りされたスタッド１１６の向かって面取りされている。従って、実装スタッドは、断面で見た場合、二重の面取り構成を有する。
【００２４】
また、実装スタッド１１６は、スタッド１１６から外方に突出する少なくとも１個のボス部材１３８を具備する。図１１に示される好適な一実施形態において、スタッド１１６は、このような３個のボス部材１３８ａ，１３８ｂ，１３８ｃを具備し、各１個は、スタッド１１６の外周を４分割したうちの３位置にそれぞれ配置される。スタッド１１６を４分割したうち残余の１位置には、スタッド１１６の縦軸に沿って方向付けられる切欠き１４０が形成される。切欠き１４０は、基部プレート１２８のスルーホール１４２と同一の広がりを有する。切欠き１４０及びスルーホール１４２は、パネルに取り付けられるアンテナ又は他のデバイスに、電気配線、同軸ケーブル又は他の必要な電気機械接続ができるようにする。もちろん、このような接続が不要の場合、切欠き１４０及びスルーホール１４２を省略してもよい。スタッド１１６の本体部１３０の対向位置に配置されたボス１３８ａ，１３８ｃと縦方向に整列する付加切欠きを、本体部１３０に設けてもよい。例えば、図９のボス１３８ａ，１３８ｃと整列する切欠き１４４を参照されたい。
【００２５】
スナップカラー１２０は図１２に示される。スナップカラー１２０は、分離したリング部１４６を具備する。リング部１４６は、その平面にほぼ直交する方向に延びる１対の弾性脚１４８を有する。脚１４８は、互いにほぼ１８０°離隔する。各脚１４８は、直線部１５０及び片持ち梁部１５２を有する。各片持ち梁部からはタブ１５３が延び、片持ち梁部に切欠き面１５５を形成する。各脚１４８の片持ち梁部１５２は直線部１５０に向かって弾性的に移動できるので、例えばスタッド１１６がパネルの開口内に挿入されると、中立位置に戻る。片持ち梁部１５２は、パネルの開口を通る片持ち梁部の挿入を容易にする傾斜部すなわち面取り部１５４を有する。タブ１５３は、開口内に残って片持ち梁部１５２が外方及び下方に曲がるのを防止する。切欠き面１５５は、パネルの縁に係止し、図９に最もよく示されるように、脚１４８が開口内を通過するのを防止する。
【００２６】
また、スナップカラー１２０の分離したリング部１４６は、パネル開口内でスタッド１１６及びプレート１２８の中心出しを容易にするために、外方を向いた離間ラグ１５６を具備する。離間ラグ１５６の位置でスナップカラー１２０を横切る寸法Ａは、スタッド１１６が配置されるパネル開口の直径に密接に対応するように決定される。分離したリング部１４６の内径Ｂは、深さＣと同様にスタッド１１６の凹部１３６の寸法により決定される。片持ち梁部１５２間でスナップカラー１２０を横切る距離Ｄは、対向するボス１３８ａ，１３８ｃ（図９参照）でスタッド１１６を横切る距離Ｅよりも若干大きくなるよう選択される。特に好適な一実施形態において、寸法Ａ及びＥは同一である。
【００２７】
スナップカラー１２０の分離したリング部１４６は、スタッド１１６の切欠き１４０と整列する、深さを小さくした切欠き部１５８を具備してもよい。実装されるデバイスが電線又は他の接続部がパネルを通過することを必要とし、このような電線又は接続部用の隙間を提供する場合、切欠き部１５８は特に望ましい。
【００２８】
保持キャップ１２２は図１３に示される。保持キャップ１２２は、打抜き加工及び曲げ加工された金属構造であるのが好適であり、ねじ切りされたスタッド１２６を受容する寸法に設定された中央開口１６２を有する頂上部１６０を具備する。頂上部は平面視で円形である。互いに離間した複数の指部１６４が、頂上部１６０に取り付けられると共に、頂上部１６０の平面に対してほぼ直角に延びて保持キャップ１２２全体を管状にする。図示の好適実施形態において、４本の指部１６４が、頂上部１６０の周囲にスロット１６５により分離されて等間隔で設けられる。
【００２９】
図１３（Ｂ）に最もよく示されるように、指部１６４は、上部１６６及び下部１６８を有する。上部１６６は、中間部１７０を介して下部１６８に結合される。中間部１７０は外方へ傾斜するので、指部１６４の下部１６８は上部１６６及び頂上部１６０に対して半径方向外方に離間する。また、中間部１７０の角度方向性は、指部１６４の内面に面取り肩１７２を形成する。保持キャップ１２２の互いに対向する両側に配置された指部１６４間の距離Ｘは、スタッド１１６の本体部１３０の直径より若干大きくなるよう選択される。他方、互いに対向する指部１６４の上面６６間の距離Ｙは、本体部１３０の直径より小さい。従って、保持キャップ１２２がスタッド１１６上に配置されると、指部１６４の下部１６８の内面は、スタッド１１６の本体部の外面の接触するか、殆ど接触した状態になり、面取り肩１７２はスタッド１１６の面取りされた先端１３４上に載置される。指部１６４を分離するスロット１６５の幅は、実装スタッド１１６のボス部材１３８ａ〜１３８ｃを受容可能にするのに十分な幅である。
【００３０】
次に、保持キャップの動作を示す図１４を参照する。この図において、説明を簡単にするために本発明のいくつか詳細点及び部品を省略している。使用の際、パネル１００に実装されたデバイスは、基部組立体１１４に取り付けられる。取付け方法は重要ではない。スナップカラー１２０（図１４には図示せず）は、上述したようにスタッド１１６の周囲に配置される。また、保持キャップ１２２もスタッド１１６の周囲に配置されるので、面取りされた肩１７２が面取りされた先端１３４上に載置され、ボス１３８ａ，１３８ｂ，１３８ｃは保持キャップ１２２の各スロット１６５内に配置される。ナット１２４はねじ切りされたスタッド１２６に緩く螺合し、必要ならガスケット１１８が使用される。
【００３１】
次に、パネル開口１０１を通ってスタッド１１６を挿入することにより、組立体全体がパネル１００に取り付けられる。方向性スタッド１１７がある場合、スタッド１１７がパネル開口１０２を通って配置される。パネル１００に向かって移動を続けると、スナップカラー１２０（図示せず）の弾性脚１５２が引っ込み、弾性脚１５２は、パネルの内面を一旦越えると、中立位置まで広がることができる。スナップカラーは、組立体が取り付けられている間、一時的な保持機構として機能する。脚１５２は、中立位置にある場合、パネル１００の内面に接触し、基部組立体１１４及びそれに実装されたデバイスがパネル１００から離れる方向に移動するのを防止する。保持脚１５２は、パネルに対して感知可能ないかなる締付け力も及ぼさない。
【００３２】
パネル１００の内面からは、ナット１２４にトルクが印加される。次に、ナット１２４は、ねじ切りされたスタッド１２６に沿ってパネル１００に向かって進み、基部１１４及びパネル１００に向かって軸方向に保持キャップ１２２を移動するよう付勢する。保持キャップ１２２が基部組立体１１４及びパネル１００に向かって移動すると、面取りされた肩１７２が最初にスタッド１１６の先端１３４に、次にスタッド１１６の傾斜本体１３０に接触するにつれ、指部１６４の下部１６８が半径方向外方へ広がる。ボス部材１３８ａ〜１３８ｃは、トルクがナット１２４に印加されると、スタッド１１６に対して保持キャップ１２２が回転するのを防止する。
【００３３】
保持キャップ１２２の指部１６４がパネル１００に向かう半径方向に広がり軸方向に移動する結果、指部１６４の下部１６８がパネル１００の内面に接触する。また、スナップカラー１２０は保持キャップ１２２をパネル１００から十分な距離だけ離間させるよう作用するので、保持キャップの指部１６４は開口１０１内に入り込むことができない。この工程は、予め決められたトルク量が印加されて保持キャップ１２２及び基部部材１１４間にパネル１００がしっかりと締め付けられるまで続く。好適な一実施形態において、スタッド１１６のボス部材１３８ａ〜１３８ｃは、保持キャップ１２２のスロット１６５と協働し、パネル１００に向かった保持キャップ１２２の移動を止めるので、パネル１００及びデバイスの一方又は双方を損傷し得る過度のトルクが印加されるのを防止する。
【００３４】
本明細書に示されたアンテナの内部電子部品は本発明にとって重要ではないので、詳細には説明しない。しかし、迅速取付け機構が意図された使用に基づき、基部組立体がこのような電子部品又は他の所望の部品を受入れるよう構成できることは、本発明の特徴の一つである。例えば、図９を参照すると、基部組立体１１４は凹部、井戸、隔壁、或いは本発明を使用するパネルに実装されたデバイスの部品を収容する区画室１１５ａ，１１５ｂ等の区画室を具備することができる。
【００３５】
上述の実施形態に変形が可能であることは理解されよう。例えば、拡大可能部材及び保持部材は、一体部材として形成されてもよい。本発明は、特許請求の範囲に表わされたものは例外であるが、特に図示され説明されたものに限定されない。
【図面の簡単な説明】
【００３６】
【図１】本発明に従ったアンテナユニットに関連した自動車取付け組立体の側面図である。
【図２】図１の取付け組立体及びアンテナユニットの分解図である。
【図３】図１の取付け組立体の分解図である。
【図４】図１の取付け組立体の側面図である。
【図５】図１の取付け組立体及びアンテナユニットと共に使用するための車両パネルの平面図である。
【図６】取付け組立体の別の実施形態の分解図である。
【図７】図６の取付け組立体の側面図である。
【図８】図６の取付け組立体と共に使用するための車両パネルの平面図である。
【図９】本発明に従った取付け組立体の別の実施形態の正面断面図である。
【図１０】図９の取付け組立体の基部を下面側から見た斜視図である。
【図１１】図９の取付け組立体の実装スタッドの斜視図である。
【図１２】（Ａ）図９の取付け組立体のスナップカラーの平面図、（Ｂ）（Ａ）のスナップカラーの側面図である。
【図１３】（Ａ）図９の取付け組立体の保持キャップの平面図、（Ｂ）（Ａ）の保持キャップの側面図である。
【図１４】（Ａ）ないし（Ｄ）は、取付け組立体の一連の部分断面図であり、特に物体をパネルに取り付ける工程を示す図である。
【符号の説明】
【００３７】
１０    取付け組立体
１４，１０１  開口
１６，１００  パネル
１８    拡大可能部材
４０，１１４  基部組立体
４６    軸部材
５４，１２４  ナット（保持部材）
６０    環状ワッシャ部（環状部）
６２，１６４  指部
７２    スペーサ部材
１１６  スタッド
１１８  ガスケット
１２０  スナップカラー
１３０  本体部
１３８ａ，１３８ｂ，１３８ｃ  ボス
１４６  分離したリング部
１４８  弾性脚
１５０  直線部
１５２  片持ち梁部
１５３  タブ
１６６  上部
１６８  下部
１１６  実装スタッド（軸部材）
１２２  保持キャップ
１７０  中間部
【図１】
2005506732.tif 000003
【図２】
2005506732.tif 000004
【図３】
2005506732.tif 000005
【図４】
2005506732.tif 000006
【図５】
2005506732.tif 000007
【図６】
2005506732.tif 000008
【図７】
2005506732.tif 000009
【図８】
2005506732.tif 000010
【図９】
2005506732.tif 000011
【図１０】
2005506732.tif 000012
【図１１】
2005506732.tif 000013
【図１２】
2005506732.tif 000014
【図１３】
2005506732.tif 000015
【図１４】
2005506732.tif 000016
【国際公開パンフレット】
2005506732.tif 000017
2005506732.tif 000018
2005506732.tif 000019
2005506732.tif 000020
2005506732.tif 000021
2005506732.tif 000022
2005506732.tif 000023
2005506732.tif 000024
2005506732.tif 000025
2005506732.tif 000026
2005506732.tif 000027
2005506732.tif 000028
2005506732.tif 000029
2005506732.tif 000030
2005506732.tif 000031
2005506732.tif 000032
2005506732.tif 000033
2005506732.tif 000034
2005506732.tif 000035
2005506732.tif 000036
2005506732.tif 000037
2005506732.tif 000038
2005506732.tif 000039
2005506732.tif 000040
2005506732.tif 000041
2005506732.tif 000042
2005506732.tif 000043
2005506732.tif 000044
2005506732.tif 000045
2005506732.tif 000046
2005506732.tif 000047
2005506732.tif 000048
2005506732.tif 000049
2005506732.tif 000050
2005506732.tif 000051
2005506732.tif 000052
2005506732.tif 000053
2005506732.tif 000054
2005506732.tif 000055
【国際調査報告】
2005506732.tif 000056
2005506732.tif 000057
2005506732.tif 000058